(57)【要約】【課題】  オーバーヘッド式の開閉装置において、開閉体の連結部材による連結が簡単、確実、かつ、安定化するように構成する。【解決手段】  垂直部５ａと水平部５ｂとＲ状部５ｃとを備えたガイドレール５を走行するドア体１を、複数のパネル体２の左右両端部において第一連結部材３で、中間部において第二連結部材４で折曲自在に連結して構成するものとし、前記第一、第二連結部材３、４を、パネル体２の屋内側面に沿って設ける構成とし、かつ、パネル体２と上下側折返し片部２ｄ、２ｅとのあいだの上下側空隙部ＵＳ、ＤＳに嵌入する嵌合片３ｅ、３ｊ、４ｅ、４ｉと、連結片３ｈ、４ｇと、該連結片３ｈ、４ｇに連結ピン１１、１２を用いて連結される連結受け片３ｋ、４ｊとがそれぞれ形成されたものに構成する。【選択図】        図３
2005120739.tif 000002
【特許請求の範囲】
【請求項１】
開口部両側から天井部に沿う略Ｌ字形のガイドレールに移動案内される開閉体を、長尺板材の上下縁部に一方のパネル面と対向する折返し片部が形成されたパネル体の複数が連結部材を介して連結されたものに構成するにあたり、連結部材は、パネル体の前記一方のパネル面に沿って設けられ、パネル体と折返し片部とのあいだの空隙部に嵌入する嵌合片と、連結部材の上下にそれぞれ形成され、隣接する連結部材同志を折曲自在に連結する連結片と連結受け片とを備えて構成されている建築用開閉装置における開閉体。
【請求項２】
請求項１において、連結部材は、左右方向外方に延出する延出部が形成され嵌合片の空隙部への嵌合が長くなるように構成されたものとし、該連結部材をパネル体の左右両端部に設けることにより、連結部材延出部はパネル体とともにガイド溝に嵌入するように構成されている建築用開閉装置における開閉体。
【請求項３】
請求項２において、延出部には、ガイドレールを転動するガイドローラの支持部が形成されている建築用開閉装置における開閉体。
【請求項４】
請求項２または３において、延出部は、ガイド溝嵌入部において嵌合片を残す状態で上下方向中間部が切欠かれている建築用開閉装置における開閉体。
【請求項５】
請求項２において、連結部材は、パネル体の左右方向中間部に設けられており、嵌合片はパネル体と折返し片とのあいだに押し込み装着されている建築用開閉装置における開閉体。
【発明の詳細な説明】
【技術分野】
【０００１】
本発明は、倉庫やガレージ等の建築物の開口部に設けられる建築用開閉装置における開閉体の技術分野に属するものである。
【背景技術】
【０００２】
一般に、この種建築用開閉装置のなかには、開口部両側から天井部に沿って形成された略Ｌ字形のガイドレールに開閉体が移動自在に嵌合され、該開閉体をガイドレールに移動案内せしめることにより、開閉体が開口部を閉鎖する全閉姿勢と、開口部を開放する全開姿勢とのあいだを変姿して、開口部の開閉がなされるようにい構成した所謂オーバーヘッド式の開閉装置が知られている。
【０００３】
このような開閉装置において、ガイドレールは、開口部に沿う垂直部と天井部に沿う水平部とのあいだにＲ状部が形成される構成となっており、このため、開閉体は、ガイドレールＲ状部を走行する場合ではパネル体同志が折曲する状態となる必要がある。そこで、開閉体を、左右方向に長い複数のパネル体の上下縁部を蝶番により揺動自在に連結し、これによって、パネル体同志が折曲自在となるように構成することが提唱されている。しかるに、このように蝶番を用いてパネル体を連結するものでは、蝶番の取り付け作業が面倒で開閉体の組込み作業が煩雑になってしまうばかりでなく、ドア体の重量を各パネル体が負担することになるので、パネル体がどうしても重量化するという問題がある。
そこで、各パネル体の左右両端部に、合成樹脂材で構成された連結部材を装着し、該連結部材同志を連結することにより、ドア体の荷重を連結部材が受けるようにしてドア体の軽量化するとともに組込み作業の簡略化を図るようにしたものが知られている。
【特許文献１】実公昭５７−５３８３９号公報
【発明の開示】
【発明が解決しようとする課題】
【０００４】
しかるに、前記特許文献１のものは、連結部材をパネル体の前後両側面から突出させる構成となっていて、パネル体の左右両端部にのみ装着が可能である。このため、左右方向に長いパネル体を連結する場合では、パネル体の左右方向中間部の連結ができず、不安定な状態での連結となってしまうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開口部両側から天井部に沿う略Ｌ字形のガイドレールに移動案内される開閉体を、長尺板材の上下縁部に一方のパネル面と対向する折返し片部が形成されたパネル体の複数が連結部材を介して連結されたものに構成するにあたり、連結部材は、パネル体の前記一方のパネル面に沿って設けられ、パネル体と折返し片部とのあいだの空隙部に嵌入する嵌合片と、連結部材の上下にそれぞれ形成され、隣接する連結部材同志を折曲自在に連結する連結片と連結受け片とを備えて構成されているものである。
そして、このようにすることにより、開閉体の軽量化が果せるうえ、パネル体の左右方向中間部にも装着することができる。
請求項２の発明は、請求項１において、連結部材は、左右方向外方に延出する延出部が形成され嵌合片の空隙部への嵌合が長くなるように構成されたものとし、該連結部材をパネル体の左右両端部に設けることにより、連結部材延出部はパネル体とともにガイド溝に嵌入するように構成されているものであり、このようにすることにより、連結部材のパネル体に対する一体化を強化できる。
請求項３の発明は、請求項２において、延出部には、ガイドレールを転動するガイドローラの支持部が形成されているものであり、このようにすることにより、ガイドローラの支持部材を別途用意する必要がなく兼用化を果すことができ、部品点数の削減が図れる。
請求項４の発明は、請求項２または３において、延出部は、ガイド溝嵌入部において嵌合片を残す状態で上下方向中間部が切欠かれているものであり、このようにすることにより、ガイドレールのＲ状部における曲率半径を小さくできて、開閉体の開放時に、開口部の有効間口高さを大きく確保できる。
請求項５の発明は、請求項２において、連結部材は、パネル体の左右方向中間部に設けられており、嵌合片はパネル体と折返し片とのあいだに押し込み装着されているものとすることができ、このようにすることにより、連結部材をパネル体に対し簡単に装着することができる。
【発明の効果】
【０００６】
請求項１の発明とすることにより、左右方向幅広のパネル体についても安定した連結を行うことができる。
請求項２の発明とすることにより、連結部材のパネル体に対する一体化を強化できる。
請求項３の発明とすることにより、部材の兼用化を果せ、部品点数を削減できる。
請求項４の発明とすることにより、開閉体の開放時に、開口部の有効間口高さを大きく確保できる。
請求項５の発明とすることにより、連結部材をパネル体に対し簡単に装着することができ、パネル体の組み込み後にも取り付けることができ、連結部材をパネル体自体の補強部材および連結の補強部材として用いることができる。
【発明を実施するための最良の形態】
【０００７】
つぎに、本発明の第一の実施の形態について、図１〜１１の図面に基づいて説明する。
図中、１は建築用開閉装置であるオーバーヘッド式ドアを構成するドア体（開閉体）であって、該ドア体１は、複数のパネル体２を上下方向に連結して構成されているが、本実施の形態のドア体１は、後述するように、複数のパネル体２の左右端部については第一連結部材３を、そして、左右方向中間部については第二連結部材４を介して連結され、これによって、各パネル体２同志が折曲自在になるように構成されている。
【０００８】
一方、５は開口部両側に設けられる一対のガイドレールであって、開口部両側に沿う垂直部５ａと、天井部に沿う水平部５ｂと、前記垂直部５ａと水平部５ｂとのあいだに位置するＲ状部５ｃとを備えて略逆Ｌ字形となる状態で一体的に形成されている。そして、ガイドレール５には、ドア体１の左右両側縁部から外方に突出する状態で軸承された複数のガイドローラ６がそれぞれ抜け止め状に嵌合しており、これによって、ドア体１はガイドローラ６がガイドレール５を走行することによりガイドレール４の案内を受けて移動し、開口部の開閉をするように設定されており、これら基本的な作動構成は従来通りとなっている。
【０００９】
一方、前記左右一方のガイドレール５のうち、一方のガイドレール水平部５ｂには、屋内側の端部に位置して開閉機７が設けられるとともに、該開閉機７の正逆駆動に伴いガイドレール水平部５ｂに沿って設けられた走行レール７ａを移動する移動体（図示せず）が設けられている。前記移動体は、ドア体１を構成する最上端パネル体２ａに連結されており、開閉機７が正逆駆動することに伴い移動体が最上端パネル体２ａを強制移動せしめ、これによって、ドア体１は、ガイドレール垂直部５ａに位置して開口部の閉鎖をする全閉姿勢と、ガイドレール水平部５ｂに位置して開口部の開放をする全開姿勢とのあいだを開閉作動するように設定されている。
尚、開口部上方には、ドア体１の自重にバランスされたバランス弾機（図示せず）が設けられており、該バランス弾機に連結されたワイヤの先端部が、ドア体１を構成する最下端パネル体２ｂに連結されている。これによって、ドア体１は、前記移動体による強制移動に基づく開閉作動に際し、バランス弾機の付勢力による補助を受けるように設定されている。
【００１０】
ここで、本実施の形態では、図１１に示すように、左右のガイドレール垂直部５ａの上方に、それぞれ取り付けブラケット８が一体的に固定されており、ここに、左右方向長尺状の板材で形成され、天井部（開口部上縁部）からガイドレールＲ状部５ｃの中間部に至る部位を覆うことで、ガイドレール水平部５ｂ、および、全開姿勢となってガイドレール水平部５ｂに位置するドア体１とを覆蓋する固定覆板９が設けられている。さらに、取り付けブラケット８には湾曲状のガイド溝８ａが一体形成されており、ここに、可動覆板１０の左右両側部に設けられたスライド体１０ａが設けられ、該可動覆板１０がガイド溝８ａに沿って上下移動することに伴い、固定覆板９の下方を開閉するように設定されている。
【００１１】
尚、可動覆板１０は、スライド体１０ａに、ドア体１の最下端パネル体２ｂに形成された係合片２ｃに対し上下方向に対向する係合受け片１０ｂを形成することにより、最下端パネル体２ｂの開放作動に伴い強制的に上動（開放作動）し、最下端パネル体２ｂの閉鎖作動に伴い、自重で下動（閉鎖作動）するように設定されている。これによって、ドア体１が全開姿勢となったときでは、開口部の有効間口高さを大きく確保することができるように配慮されている。さらには、ドア体１が全閉姿勢となったときでは、可動覆板１０が固定覆板９の下方部位であるガイドレールＲ状部５ｃ対向部位をを固定覆板９とともに閉鎖しており、開口部間口高さとドア体１全長とのあいだに寸法誤差が生じ、最上端に位置する最上端パネル体２ａが傾斜状になってガイドレールＲ状部５ｃに位置するような場合であっても、該最上端パネル体２ａが可動覆板１０により覆われて、ドア体１の上部に隙間が形成されることがないように配慮されている。
【００１２】
さて、前記ドア体１であるが、ドア体１を構成する各パネル体２（最上端、最下端パネル体２ａ、２ｂを含む）は、上縁部に位置して屋内側方向下側に向けて折返された上側折返し片部２ｄが形成され、下縁部に位置して屋内側方向上側に向けて折返されたものがさらに下方に向けて折返された下側折返し片部２ｅが形成され、各折返し片部２ｄ、２ｅと、パネル体２の屋内側面とのあいだに上側空隙部ＵＳと下側空隙部ＤＳとが形成されている。
【００１３】
そして、これら各パネル体２は、屋内側面の左右両端部に位置して設けられる第一連結部材３と、屋内側面の左右方向中間部に位置して設けられる第二連結部材４とにより、上下方向に隣接するパネル体２同志が折曲自在な状態で連結されるように構成されている。
前記第一、第二連結部材３、４は、それぞれ樹脂材を一体成形したもので構成され、本発明の連結部材に相当している。
まず、第一連結部材３であるが、該第一連結部材３は、パネル体２の左右両端部に取付けられる構成であり、該左右の第一連結部材３は、互いに左右勝手違いのものに構成されている。そこで、本実施の形態では、パネル体２の屋外側面に向かって右側に取り付けられる左側の第一連結部材３を図３、５、６に基づいて説明し、これをもって、左右両端部に設けられる第一連結部材３の詳細な説明とする。
【００１４】
パネル体２の右側に設けられる第一連結部材３は、パネル体２の上下長さと略同寸法を備え、パネル面と直交方向を向く板状体で形成された本体部３ａを備えて構成されている。前記本体部３ａの屋内側端縁部にはパネル体２のパネル面に沿う屋内側面３ｂが一体形成され、そして、屋外側端縁部には前記屋内側面３ｂと略同幅の屋外側面３ｃがそれぞれ一体に形成されている。そして、本体部３ａの上部屋外側部位には、右方に向けて筒状の上側延出部３ｄが突出状に延出形成されているが、該上側延出部３ｄは、上側部位がパネル体２の上側折返し片部２ｄとパネル体屋内側面とのあいだに形成された上側空隙部ＵＳに内嵌される形状に形成され、該内嵌部位が本発明の上側嵌合片３ｅに構成されている。そして、前記上側嵌合片３ｅには上端部に位置して支持孔３ｆが左右方向に長く貫通形成され、ここに、ガイドローラ６が軸承される軸部６ａが抜け止め状に貫通支持される構成となっており、これによって、第一連結部材３の上側延出部３ｄにガイドローラ６の支持部が形成され、ガイドローラ６支持用の専用部材を別途設ける必要がなく、兼用できるように設定されている。
また、本体部３ａの上部屋内側部位には、左右方向を向く貫通孔３ｇが形成された連結片３ｈが上方に向けて突出形成されている。
【００１５】
一方、本体部３ａの下側屋外側部位には、右方に向けて筒状の下側延出部３ｉが突出状に延出形成されているが、該下側延出部３ｉは、下側部位がパネル体２の下側折返し片部２ｅとパネル体屋内側面とのあいだに形成された下側空隙部ＤＳに内嵌される形状に形成され、該下側部位が本発明の下側嵌合片３ｊに構成されている。また、本体部３ａの下部屋内側部位には、下方に向けて突出し、かつ、下方において二股状に分岐する連結受け片３ｋが形成され、該連結受け片３ｋの二股部のあいだに、下側に隣接して設けられる第一連結部材３の上側に形成される連結片３ｈが嵌入するように構成されている。さらに、連結受け片３ｋの下端部には、連結片３ｈに形成された貫通孔３ｇと連通する貫通孔３ｍが貫通形成されており、前述したように連結片３ｈを連結受け片３ｋに嵌入させ、これら貫通孔３ｇ、３ｍに連結ピン１１を抜け止め状に挿通することによって、上下に隣接する第一連結部材３同志が折曲自在（揺動自在）な状態で連結するように設定されている。
ここで、第一連結部材３は、上下に延出部３ｄ、３ｉを形成することにより、延出部３ｄ、３ｉ形成対応部位の上下方向中間部が、何も形成されない切欠き部位となるように設定されている。
【００１６】
さらに、第一連結部材３の上下側突出部３ｄ、３ｉ右端縁部は肉厚に形成されており、ここにパネル体２の屋内側パネル面に向けて突出する係止爪３ｐ、３ｒが形成されている。尚、これら係止爪３ｐ、３ｒは、これらが形成される肉厚部の板厚方向中間部を切欠くことにより、弾性変形自在となるように設定されている。そして、これら係止爪３ｐ、３ｒは、後述するように、第一連結部材３をパネル体２の屋内側パネル面に装着されたとき、パネル体２の左右両端部上下部位に開設された係止受け孔２ｆ、２ｇにそれぞれ係合して、第一連結部材３の抜け止めをするように設定されている。
尚、３ｓは係止爪３ｐ、３ｒ形成部位の上下両端縁部から屋内側に向けて突出形成されたストッパ片部であって、該ストッパ片部３ｓは、第一連結部材３をパネル体２にスライド装着するときに、パネル体２の左右端部に当接することにより第一連結部材３のそれ以上のスライドを規制するように設定されており、これによって、第一連結部材３のパネル体２に対する位置決めがなされるように構成されている。
尚、第一連結部材３は、パネル体２の上下縁部に形成される上下側空隙部ＵＳ、ＤＳを同形状にすることによって、左右一対の第一連結部材を同形状の部材とすることができ、これによって、部材の共通化が果せるように設定されている。
【００１７】
つぎに、パネル体２の左右方向中間部を連結するための第二連結部材４について説明する。
ここで、本実施の形態では、パネル体２の左右方向中央部位に第二連結部材４が装着されているが、該第二連結部材４はパネル体２の左右幅によっては必ずしも装着する必要のある部材ではなく、左右の第一連結部材３のみにより連結する構成としてもよい。
さて、前記第二連結部材４は、パネル体２の上下長さと略同寸法を備えパネル面と直交方向を向く板状体で形成された本体部４ａを備えて構成されている。前記本体部４ａの屋内側端縁部には、パネル体２のパネル面に沿う屋内側面４ｂが一体に形成され、屋外側端縁部には、屋内側面と略同幅の屋外側面４ｃが一体に形成されている。そして、本体部４ａの上部屋外側部位には、左右方向に向けて筒状の上側延出部４ｄが突出状に延出形成されており、該上側延出部４ｄの上側部位は、パネル体２の上側折返し片部２ｄとパネル体屋内側面とのあいだに形成された上側空隙部ＵＳの下半部に内嵌される形状（前記第一連結部材上側嵌合片３ｅよりは上方に突出しない形状）に形成されており、該延出部４ｄの上側部位が本発明の上側嵌合片４ｅに構成されている。
また、本体部４ａの上部屋内側部位には、左右方向を向く貫通孔４ｆが形成された連結片４ｇが上方に向けて突出形成されている。
【００１８】
一方、本体部４ａの下側屋外側部位には、右方に向けて筒状の下側延出部４ｈが突出状に延出形成されているが、該下側延出部４ｈは、下側部位がパネル体２の下側折返し片部２ｅとパネル体屋内側面とのあいだに形成された下側空隙部ＤＳの上半部に内嵌される形状（前記第一連結部材下側嵌合片３ｊよりは下方に突出しない形状）に形成され、該下側部位が本発明の下側嵌合片４ｉに構成されている。
また、本体部４ａの下部屋内側部位には、下方に向けて突出する連結受け片４ｊが二股状に分岐する状態で一体的に形成されており、該二股のあいだに、下側に隣接して設けられる第二連結部材４の上側に形成された連結片４ｇが嵌入するように設定されている。そして、これら連結受け片４ｊの下端部には、連結片４ｇに形成された貫通孔４ｆと連通する貫通孔４ｋが貫通形成されており、前述したように連結片４ｇを連結受け片４ｊに嵌入させ、これら貫通孔４ｆ、４ｋに連結ピン１２を抜け止め状に挿通することによって、上下に隣接する第二連結部材４同志が折曲自在（揺動自在）な状態で連結するように設定されている。
尚、４ｍは、二股状の連結受け片４ｊの屋外側面に形成された位置決め突部であって、該位置決め突部４ｍは、パネル体２の下側折返し片部２ｅに形成された貫通孔２ｈに嵌入させることでパネル体２に対する位置決め、そして、外れ止め（抜け止め）ができるように構成されている。
【００１９】
続いて、前記第一、第二連結部材３、４を用いてパネル体２を連結したドア体１を開口部に取り付ける手順について説明する。
ここで、本実施の形態の左右一対のガイドレール５は、垂直部５ａの上端部屋内側面に位置して、矩形状のパネル出し入れ口５ｄがそれぞれ切欠き形成されている。そして、これら出し入れ口５ｄを介して、パネル体２を一枚づつ、あるいは適宜枚数（複数枚）づつ組み込み（ガイドレール５に嵌入させ）ながらパネル体２同志の連結をし、これによって、ドア体１を構成するように設定されている。そこで、各パネル体２は、予め左右端部に第一連結部材３を、左右方向中央部に第二連結部材４を組み込んだ状態とし、このものをガイドレール５に組み込むように設定されている。
【００２０】
まず、パネル体２の左右端部に、予めガイドローラ６を軸承した左右の第一連結部材３をそれぞれ取り付ける。該第一連結部材３は、上下側嵌合片３ｅ、３ｊをパネル体２の上下側空隙部ＵＳ、ＤＳに対して左右方向外方からあてがい、そのまま左右方向にスライドさせる（押し込む）ことで嵌め込み装着できるように設定されている。この装着過程において、係止爪３ｐ、３ｒは、パネル体２の屋内側パネル面により屋内側に向けて強制的に弾性変形する状態でスライドし、パネル体２に形成された係止受け孔２ｆ、２ｇに達することで屋外側に突出し、係止爪３ｐ、３ｒが係止受け孔２ｆ、２ｇに係止するように設定されており、これによって、第一連結部材３のパネル体２からの抜け止めがなされるように設定されている。さらに、第一連結部材３は、ストッパ片３ｓがパネル体２の左右端縁部に当接するまで押し込むことにより、パネル体２に体し位置決め状に装着されるように設定されている。
【００２１】
つぎに、パネル体２の左右方向中央部に第二連結部材４を装着する。前記第二連結部材４は、上下側嵌合片４ｅ、４ｉをパネル体２の上下側空隙部ＵＳ、ＤＳに対して対向せしめ、屋外側から屋内側に向けて押し込むようにすることで装着されるように設定されている。即ち、上下側嵌合片４ｅ、４ｉは、前述したように、上下側空隙部ＵＳ、ＤＳの上下半部に対応する形状に形成されているため、無理矢理押し込むことで第二連結部材４を嵌め込み装着することができるように設定されている。このとき、連結受け片４ｊに形成された位置決め突部４ｍをパネル体下側折返し片部２ｅの貫通孔２ｈに嵌入させることで、パネル体２への位置決め、そして、外れ止め（抜け止め）ができることは前述した通りである。
【００２２】
そして、このように第一、第二連結部材３、４が組み込まれた複数のパネル体２のうち、最下端に位置する最下端パネル体２ｂから順次ガイドレール５に組み込まれる。最下端パネル体２ｂは、左右端部に設けられた第一連結部材３のガイドローラ６取り付け側半部を、出し入れ口５ｄからガイドレール５内に嵌入せしめられるが、このとき、最下端パネル体２ｂにはバランス弾機（図示せず）の一端部を連結しておくことで、ドア体１の取り付け（パネル体２の組み込み）が完了することと同時に、バランス弾機にドア体１の荷重にバランスされた蓄勢力が付勢されるように設定されている。
【００２３】
続いて、最下端パネル体２ｂの上側に隣接するパネル体２の左右端部（第一連結部材３のガイドローラ６取り付け側半部）を、ガイドレール出し入れ口５ｄから嵌入する。ここで、上側に位置するパネル体２は、該パネル体２の第一連結部材下側連結受け片３ｋの二股のあいだに、下側に位置する最下端パネル体２ｂの第一連結部材上側連結片３ｇが嵌入する状態で組み込まれるように設定されている。さらにこのとき、上側パネル体２の第二連結部材下側連結受け片４ｊの二股のあいだに、最下端パネル体２ｂの第二連結部材上側連結片４ｇが嵌入する状態で組み込まれるように設定されている。そして、これら最下端パネル体２ｂと上側パネル体２との第一連結部材貫通孔３ｇ、３ｍ、３ｇ同志に連結ピン１１を抜け止め状に挿通し、さらには、第二連結部材貫通孔４ｆ、４ｋ、４ｆに連結ピン１２を抜け止め状に挿通することにより、最下端パネル体２ｂと上側に隣接するパネル体２とが折曲自在に連装（連結）される。因みに、第一連結部材３同志を連結する連結ピン１１は、ガイドレール５には嵌入されず開口部側に露出している本体部３ａの上下部位において、開口部内方から挿通するように設定されており、これによって、連結ピン１１による連結操作が容易にできるように構成されている。
このようにして、順次上側に隣接するパネル体２を、出し入れ口５ｄからガイドレール５に嵌入せしめ、連結ピン１１、１２により下側のパネル体２と連結しながら組み込むことで、ガイドレール５に組み込まれた状態でのドア体１が構成される。そして、ドア体１の組込みが完了することに伴い、前述したように、バランス弾機にドア体１の自重にバランスする蓄勢力が蓄勢されるように設定されている。
【００２４】
叙述の如く構成された本形態において、ドア体１は、開閉機６の正逆駆動に伴い、開口部両側に設けられたガイドレール５の案内を受けて開口部を開閉作動する構成となっているが、この場合に、ドア体１は、複数のパネル体２の左右端部を第一連結部材３により、左右方向中央部を第二連結部材４によりそれぞれ折曲自在に連結されており、これら第一、第二連結部材３、４が樹脂製であることから、従来の蝶番を用いるもののようにドア体１が重量化することがなく、軽量化を図ることができる。
さらにこのものでは、第一、第二連結部材３、４を、パネル体２の屋内側面に沿って装着される構成したので、パネル体２の左右両端部だけでなく、左右方向中央部にも装着させることができ、この結果、ドア体１を左右方向に長いものにしたような場合であっても、パネル体２同志の連結を安定したものとすることができる。
【００２５】
しかも、本形態のでは、パネル体２自体が互いに連結する構成ではなく、第一、第二連結部材３、４を介して連結される構成であるので、パネル体２の荷重は、第一、第二連結部材３、４が受けることになってパネル体２に作用することがない。この結果、パネル体２は、風圧に対応する程度の強度を備えたものでよいことになり、しかも、その風圧に対しても、第一、第二連結部材３、４が補強的な効果を与えることができ、もってパネル体２の強度を必要以上に高める必要がなく、このことからもドア体１の軽量化を果すことができる。また、各パネル体２を独立した構成にできるので、形状の自由度が高まり意匠性性の高いドア体１を構成することも可能となる。
そのうえこのものでは、パネル体２の左右両端部に装着される第一連結部材３については、左右外方からスライド嵌合させることでパネル体２に装着することができ、また、第二連結部材４については、パネル体２の屋内側面に対して押し込み嵌合させることで装着することができので、取り付け作業が簡単で作業性を向上できる。そのうえ、第二連結部材４は、屋内側から押し込むことで装着することができるので、各パネル体２に予め左右の第一連結部材３のみを装着したものを連結してドア体１を構成し、該ドア体１に構成した後において第二連結部材４を装着することも可能である。この場合、第二連結部材４は、パネル体自体の補強部材として、または、パネル体２同志の連結の補強部材として用いることができ、設置状態に応じて適宜用いることができる。
【００２６】
また、第一連結部材３は、上下に本体部３ａよりも左右方向に長い延出部３ｄ、３ｉが形成されており、該延出部３ｄ、３ｉがガイドレール５内に嵌入する構成となっている。このため、上側延出部３ｄにはガイドレール５を走行するためのガイドローラ６を軸承させることができ、ガイドローラ６取付け用のブラケットを別途用意する必要がなくなって、部品点数の削減を図ることができる。
しかも、このものでは、前記上下側延出部３ｄ、３ｉの上下方向一半部が、パネル体２の上下に形成される上下側空隙部ＵＳ、ＤＳに嵌入する上下側嵌合片３ｅ、３ｊに形成されている。このため、上下側嵌合片３ｅ、３ｊによるパネル体２との一体化部位が左右方向に長く確保される構成となり、第一連結部材３のパネル体２に対する上下方向の位置ズレ（ガタつき）が防止（低減）される。
【００２７】
さらにこのものでは、上下側延出部３ｄ、３ｉのみがガイドレール５に嵌合し、上下方向に長い本体部３ａについてはガイドレール５より開口部内側に位置しており、上下側延出部３ｄ、３ｉのあいだ（上下方向対向間）が切欠かれた状態となっている。このため、ガイドレール５のＲ状部を走行する際に、図９に示すように、ガイドローラ６が支持される上下側延出部３ｄ、３ｉがガイドレール５に嵌合した状態で移動し、切欠き部に相当する上下方向中間部についてはパネル体２のみがガイドレールＲ状部５ｃに嵌合し、第一連結部材本体部３ａに相当する部位はガイドレール５から抜け出した状態で走行している。この結果、ガイドレールＲ状部５ｃにおける曲率半径を、第一連結部材の屋内外方向の厚さ（突出寸法）を考慮することなく、パネル体２の板厚を嵌合する大きさとして小さく設定することができ、開口部の有効間口高さを大きく確保できる。
【００２８】
そして、このものでは、パネル体２の左右方向中間部を第二連結部材４によって折曲自在に連結しており、左右方向に長いパネル体２を用いた場合であっても安定した連結状態を確保することができる。しかも、第二連結部材４は、パネル体２の上下側空隙部ＵＳ、ＤＳに嵌入する上下側嵌合片４ｅ、４ｉは、上下側空隙部ＵＳ、ＤＳの下半部あるいは上半部の形状に相当しているため、屋内側から押し込むことでパネル体２に装着させることができ、装着作業を簡単、かつ、容易に行うことができるうえ、ドア体１組付け後においても装着することが可能となる。
さらに、第一連結部材３には、係止爪３ｐ、３ｒ、あるいは、ストッパ片３ｓが形成されていて、第一連結部材３をパネル体２に対して位置決め状、かつ、抜け止め状に装着することができる。一方、第二連結部材４には、位置決め突起４ｍが形成されていて、第二連結部材４をパネル体２に対して位置決め状、かつ、抜け止め状に装着することができ、第一、第二連結部材３、４のパネル体２への一体化がより高精度で、かつ、確実に行うことができる。
そのうえ、第一連結部材３の上下側縁出部３ｄ、３ｉがガイドレール５に嵌合する構成であるが故に、ガイドローラ６のローラ軸６ａが外部｛開口部側）に露出することがなく、指挟み等の不測の事態を防止することもできる。
【００２９】
また、パネル体２同志の連結は、第一、第二連結部材３、４の連結片３ｈ、４ｇと連結受け片３ｋ、４ｊとに形成された貫通孔３ｍと３ｇ、４ｋと４ｆとに、それぞれ連結ピン１１、１２を挿通指せるだけの簡単な作業で行うことができて連結操作の簡略化を図ることができる。そのうえ、ドア体１のガイドレール５への組み込みは、予め第一、第二連結部材３、４を装着したパネル体２を、最下端パネル体２ｂからガイドレール５の出し入れ口部５ｄを介してガイドレール５に組み込む毎に、連結ピン１１、１２で連結しながら順次組み込むことで行うことができるので、現場での取り付け（組み込み）作業が容易となって、作業性の向上が図れる。しかも、パネル体２同志の連結は、樹脂材同志に対して金属製の連結ピン１１、１２が貫通する構成であるので、ドア体１の開閉作動時における作動音を静粛なものにできる。
【００３０】
このように、本発明が実施されたものでは、各パネル体２を一枚づつ、あるいは適宜枚数づつ連結しながらガイドレール５に組み込むことで、ドア体１が組み込み形成される構成であるので、局所的なパネル体２の交換を含むパネル体２の交換作業が簡単、かつ、容易に行うことが可能となる。
【００３１】
尚、本発明は前記実施の形態に限定されないことは勿論であって、第二連結部材のパネル体に対する位置決めは、第二連結部材をパネル体にカシメ付けることでも行うことができる。
【００３２】
また、ガイドレールの躯体に対する取り付けは、図１２に示す第二、第三の実施の形態のように、ガイドレール５の屋外側に矩形状の枠材１３を設けることで、袖壁１４がある躯体（図１２（Ａ）参照）、袖壁がない躯体（図１２（Ｂ）参照）の何れにも取り付けることができるように構成されている。
【００３３】
さらに、パネル体の左右両端部に設けられる第一連結部材３としては、図１３に示す第四の実施の形態のように、一方の連結受け片３ｋに係止片３ｔを形成し、連結ピン１１の頭部１１ａに外径側に突出する状態で形成した係合凸部１１ｂが抜け止状に係止される構成とすることもできる。
【図面の簡単な説明】
【００３４】
【図１】オーバーヘッド式ドアの概略斜視図である。
【図２】図２（Ａ）、（Ｂ）はそれぞれパネル体の側面図、一部切欠き正面図である。
【図３】図３（Ａ）、（Ｂ）、（Ｃ）、（Ｄ）はそれぞれ第一連結部材の正面図、背面図、側面図、図３（Ｃ）におけるＸ−Ｘ断面図である。
【図４】図４（Ａ）、（Ｂ）、（Ｃ）、（Ｄ）はそれぞれ第二連結部材の正面図、背面図、側面図、図４（Ｃ）におけるＸ−Ｘ断面図である。
【図５】図５（Ａ）、（Ｂ）はそれぞれ第一連結部材の連結手順を説明する要部背面図、要部底面図斜視図である。
【図６】図６（Ａ）、（Ｂ）、（Ｃ）はそれぞれ第一連結部材にがイドローラを取り付けた状態の正面図、側面図、図６（Ａ）におけるＸ−Ｘ断面図である。
【図７】図７（Ａ）、（Ｂ）はそれぞれドア体の平面図、背面図である。
【図８】図８（Ａ）、（Ｂ）はそれぞれ伸長状態のパネル体において第二連結部材部位の連結状態を示す側面図、折曲状態のパネル体において第二連結部材部位の連結状態を示す側面図である。
【図９】図９（Ａ）、（Ｂ）はそれぞれパネル体１の組み込み状態を説明する側面図、ガイドレールの要部背面図である。
【図１０】図１０（Ａ）、（Ｂ）はそれぞれガイドレールＲ状部を走行するドア体の要部側面図、ガイドレール垂直部を走行するドア体の要部平面図である。
【図１１】図１１（Ａ）、（Ｂ）はそれぞれ可動覆板の作動を説明する要部側面図、要部平面図である。
【図１２】図１２（Ａ）、（Ｂ）はそれぞれ第二の実施の形態における要部平面図、第三の実施の形態における要部平面図である。
【図１３】図１３（Ａ）、（Ｂ）、（Ｃ）はそれぞれ第四の実施の形態における第一連結部材の連結手順を説明する要部背面図、要部底面図斜視図、連結ピンの側面図である。
【符号の説明】
【００３５】
１    ドア体
２    パネル体
２ｂ    最下端パネル体
３    第一連結部材
３ｄ    上側延出部
３ｅ    上側嵌合片
３ｈ    連結片
３ｉ    下側延出部
３ｋ    連結受け片
４    第二連結部材
４ｄ    上側延出部
４ｅ    上側嵌合片
４ｇ    連結片
４ｊ    連結受け片
５    ガイドレール
５ｃ    Ｒ状部
６    ガイドローラ
７    開閉機
【図１】
2005120739.tif 000003
【図２】
2005120739.tif 000004
【図３】
2005120739.tif 000005
【図４】
2005120739.tif 000006
【図５】
2005120739.tif 000007
【図６】
2005120739.tif 000008
【図７】
2005120739.tif 000009
【図８】
2005120739.tif 000010
【図９】
2005120739.tif 000011
【図１０】
2005120739.tif 000012
【図１１】
2005120739.tif 000013
【図１２】
2005120739.tif 000014
【図１３】
2005120739.tif 000015